(57)【要約】【課題】保護パネル表面の曇の除去時間を短縮させ、かつ曇自体を効果的に除去することができるとともに、保護パネル表面の曇止め効果を持続させることができる液晶テレビの曇止め構造を提供する。【解決手段】浴室に設置される液晶テレビ１の曇止め構造として、前側キャビネット１１の凹部１３に、液晶本体２の液晶画面２１を前面側から保護する保護パネル４を取付ける。保護パネルの後面に、その保護パネルの前面に付着した曇りを除去する電熱線５を、液晶画面の枠外に位置する保護パネル裏面の左側縁部および上縁部の第１領域において所定間隔で略９０゜に屈曲させて鉤状に網羅するように張り巡らせた第１電熱線５１と、液晶画面の枠外に位置する保護パネル裏面の右側縁部および下縁部の第２領域において所定間隔で略９０゜に屈曲させて鉤状に網羅するように張り巡らせた第２電熱線５２との２系統に分割させている。【選択図】図２
2006319531.tif 000002
【特許請求の範囲】
【請求項１】
浴室など多湿場所に設置される液晶テレビおよび映像モニタの曇止め構造であって、
上記液晶テレビおよび映像モニタの画像面の表面側には、その画像面を保護する保護パネルが取付けられており、
この保護パネルの裏面には、その保護パネルの表面に付着した曇りを除去する電熱線が張り巡らされていることを特徴とする液晶テレビおよび映像モニタの曇止め構造。
【請求項２】
上記請求項１に記載の液晶テレビおよび映像モニタの曇止め構造おいて、
電熱線は、画像面の枠外に位置する保護パネル裏面の周囲部にのみ張り巡らされていることを特徴とする液晶テレビおよび映像モニタの曇止め構造。
【請求項３】
上記請求項１に記載の液晶テレビおよび映像モニタの曇止め構造おいて、
電熱線は、画像面の枠内も含む保護パネル裏面の全域に張り巡らされていることを特徴とする液晶テレビおよび映像モニタの曇止め構造。
【請求項４】
上記請求項３に記載の液晶テレビおよび映像モニタの曇止め構造おいて、
電熱線は、複数に分けた保護パネル裏面の領域毎に対応するように分割されていることを特徴とする液晶テレビおよび映像モニタの曇止め構造。
【請求項５】
上記請求項１ないし請求項４のいずれか１つに記載の液晶テレビおよび映像モニタの曇止め構造おいて、
電熱線は、液晶テレビおよび映像モニタを遠隔操作するリモコンによってＯＮまたはＯＦＦ操作されるようになっていることを特徴とする液晶テレビおよび映像モニタの曇止め構造。
【発明の詳細な説明】
【技術分野】
【０００１】
本発明は、浴室など多湿場所に設置される液晶テレビおよび映像モニタの曇止め構造に関する。
【背景技術】
【０００２】
一般に、浴室などに多湿場所に設置される液晶タイプのテレビや映像モニタの画像面の表面側には、その画像面を保護する保護パネルが取付けられている。
【０００３】
しかし、このような保護パネルは、浴槽やシャワーからの湯気によって表面が曇ってしまうため、画像面が非常に見辛いものとなる。そのため、保護パネル表面の曇った状態を除去する上で、タオル等により保護パネルの表面を拭わなければならなかった。
【０００４】
そこで、従来、液晶テレビおよび映像モニタの画像面の表面側に、親水性物質よりなる防曇層を粘着層を介して接着するとともに、その防曇層の表面側に、この防曇層に向けてのみ通気性を有する表面保護層を貼着し、表面保護層に付着した水蒸気の水滴を表面保護層から防曇層に通気させて該防曇層の親水性物質に順次吸着・吸収させることによって、表面保護層の曇りを除去するようにしたものは知られている。
【特許文献１】特開平１０−４２２２５号公報
【発明の開示】
【発明が解決しようとする課題】
【０００５】
ところが、上記従来の曇り止め構造では、表面保護層といった保護パネルに付着した水蒸気の水滴を防曇層に通気させて親水性物質に吸着・吸収させるものであるため、防曇層での親水性物質による吸着・吸収作用に依存するには限界があり、親水性物質の吸着・吸収作用が飽和状態に達すると、保護パネル表面の曇りの除去スピードが停滞するばかりでなく、曇自体を効果的に除去することができず、しかも、保護パネル表面の曇止め効果を持続させることができない。
【０００６】
本発明は、かかる点に鑑みてなされたものであり、その目的とするところは、保護パネル表面の曇の除去時間を短縮させ、かつ曇自体を効果的に除去することができるとともに、保護パネル表面の曇止め効果を持続させることができる液晶テレビおよび映像モニタの曇止め構造を提供することにある。
【課題を解決するための手段】
【０００７】
上記目的を達成するため、本発明では、浴室など多湿場所に設置される液晶テレビおよび映像モニタの曇止め構造として、上記液晶テレビおよび映像モニタの画像面の表面側に、その画像面を保護する保護パネルを取付けている。そして、上記保護パネルの裏面に、その保護パネルの表面に付着した曇りを除去する電熱線を張り巡らせている。
【０００８】
この特定事項により、浴室などに液晶テレビおよび映像モニタが設置されているために浴槽およびシャワーからの湯気により発生する保護パネル表面に付着した水蒸気の水滴は、電熱線により裏面側から加温されて保護パネル表面が熱を持つことによって速やかに除去され、保護パネル表面の曇自体を効果的に除去することが可能となる上、保護パネル表面の曇止め効果を持続させることが可能となる。
【０００９】
特に、電熱線のレイアウトを特定するものとして、以下の構成が掲げられる。
【００１０】
つまり、電熱線を、画像面の枠外に位置する保護パネル裏面の周囲部にのみ張り巡らせている。
【００１１】
この特定事項により、保護パネル表面に付着した水蒸気の水滴は、保護パネル裏面の周囲部にのみ張り巡らせた電熱線により裏面側から加温されて保護パネル全体が周囲から熱を持つことによって速やかに除去されて、曇の除去時間を短縮させることが可能となり、保護パネル表面の曇自体を効果的に除去することが可能となる上、保護パネル表面の曇止め効果を持続させることが可能となる。しかも、画像面の枠内に位置する保護パネルの中央部、つまり保護パネルの画像面を覆う部分には、電熱線が張り巡らされていないので、画像面上に電熱線の筋が入らずクリアな映像を表示することが可能となる。
【００１２】
これに対し、電熱線を、画像面の枠内も含む保護パネル裏面の全域に張り巡らせている場合には、保護パネル表面に付着した水蒸気の水滴は、電熱線により裏面側から加温されて保護パネル全体が満遍なく熱を持つことによってより速やかに除去され、曇の除去時間をより一層短縮させることが可能となり、保護パネル表面の曇自体をより効果的に除去することが可能となる上、保護パネル表面の曇止め効果を持続させることが可能となる。
【００１３】
また、電熱線を、複数に分けた保護パネル裏面の領域毎に対応するように分割させている場合には、保護パネルの領域毎に電熱線により裏面側から加温されて保護パネルの所望する部位に付着した水蒸気の水滴が速やかに除去され、保護パネル表面の所望する部位の曇を効果的に除去することが可能となる。
【００１４】
更に、電熱線を、液晶テレビおよび映像モニタを遠隔操作するリモコンによってＯＮまたはＯＦＦ操作させるようにしている場合には、保護パネル表面に付着した水蒸気の水滴を除去する際に液晶テレビおよび映像モニタの本体までその都度近付いて電熱線をＯＮ操作する必要がなく、手元のリモコンによって保護パネル表面の曇を簡単に除去することが可能となる。
【発明の効果】
【００１５】
以上、要するに、保護パネルの表面に付着した曇りを除去する電熱線を保護パネル裏面に張り巡らせることで、保護パネル表面に付着した水蒸気の水滴を電熱線による裏面側からの加温効果によって速やかに除去し、保護パネル表面の曇自体を効果的に除去することができる上、保護パネル表面の曇止め効果を持続させることができる。
【発明を実施するための最良の形態】
【００１６】
本発明を実施するための最良の形態を図面に基づいて説明する。
【実施例１】
【００１７】
図１は、本発明の実施例１に係わる曇止め構造を備えた液晶テレビの斜視図であって、この液晶テレビ１は、図示しない浴室の壁面に取り付けられている。
【００１８】
上記液晶テレビ１は、浴室側に位置する前面側に画像面としての液晶画面２１を有する液晶本体２と、この液晶本体２を制御する回路基板３と、この液晶本体２および回路基板３を内部に気密状態で収容するキャビネット１０とを備えている。このキャビネット１０は、浴室側に位置する前側キャビネット１１と、この前側キャビネット１１の反浴室側となる後面にシール材（図示せず）を介して取り付けられた後側キャビネット１２とを備えている。そして、前側キャビネット１１の前面中央部には、後方に凹む凹部１３が設けられている。この凹部１３の底部は、液晶画面２１を前方に露呈させる矩形状の開口部１３ａを有しているとともに、その開口部１３ａの周囲に枠部１３ｂを存している。
【００１９】
また、図２に示すように、前側キャビネット１１の凹部１３の周囲と対応する後面の対応位置には、後方（図２では右側）へ突出する突条枠部１４が設けられている。そして、上記液晶本体２は、周囲部分を残して後方に凹む固定用アングル部材１５の凹部１５ａ内に保持され、この固定用アングル部材１５の周囲部分を上記突条枠部１４に取り付けることによって、前側キャビネット１１（凹部１３）の枠部１３ｂ後面に液晶画面２１の周囲を接触させた状態で、前側キャビネット１１（凹部１３）の開口部１３ａを介して液晶画面２１を前方（図２では左側）に露呈させるように取り付けられている。また、上記回路基板３は、リブ１５ｂを介して固定用アングル部材１５の凹部１５ａ後面に取り付けられている。
【００２０】
そして、前側キャビネット１１の凹部１３には、液晶本体２の液晶画面２１を前面側（表面側）から保護する保護パネル４が取付けられている。この液晶画面２１の前面側に位置する保護パネル４の後面（裏面）には、その保護パネル４の前面に付着した曇りを除去する電熱線５が張り巡らされている。そして、図３に示すように、電熱線５は、液晶画面２１の枠外に位置する保護パネル４裏面の周囲部にのみ張り巡らされている。具体的には、電熱線５は、液晶画面２１の枠外に位置する保護パネル４裏面の左側縁部および上縁部の第１領域において所定間隔で略９０゜に屈曲させて鉤状に網羅するように張り巡らせた第１電熱線５１と、液晶画面２１の枠外に位置する保護パネル４裏面の右側縁部および下縁部の第２領域において所定間隔で略９０゜に屈曲させて鉤状に網羅するように張り巡らせた第２電熱線５２との２系統に分割されていて、この各電熱線５１，５２が保護パネル４裏面の各領域毎に対応するようになっている。
【００２１】
上記各電熱線５１，５２は、図示しない切り換え操作部によって各電熱線５１，５２に対する通電がＯＮまたはＯＦＦ操作されるようになっている。この場合、切り換え操作部は、液晶テレビ１を遠隔操作するリモコン６（図１に表れる）からの指令信号によってＯＮまたはＯＦＦ操作されるようになっている。
【００２２】
したがって、上記実施例１では、浴室に液晶テレビ１が設置されているために浴槽およびシャワーからの湯気により発生する保護パネル４表面に付着した水蒸気の水滴は、液晶画面２１の枠外に位置する保護パネル４裏面の周囲部にのみ張り巡らされた第１および第２電熱線５１，５２により裏面側から加温されて保護パネル４の表面全域が周囲から熱を持つことによって速やかに除去され、保護パネル４表面の曇自体を効果的に除去することができる上、保護パネル４表面の曇止め効果を持続させることができる。
【００２３】
しかも、液晶画面２１の枠内に位置する保護パネル４の中央部、つまり保護パネル４の液晶画面２１を覆う部分には、第１および第２電熱線５１，５２が張り巡らされていないので、液晶画面２１上に第１および第２電熱線５１，５２の筋が入らずクリアな映像を表示することができる。
【００２４】
また、保護パネル４裏面の第１および第２領域毎に対応するように電熱線５を第１および第２電熱線５１，５２の２系統に分割させていることにより、保護パネル４の第１および第２領域毎に２系統の各電熱線５１，５２により加温されて保護パネル４の所望する領域に付着した水蒸気の水滴が速やかに除去され、保護パネル４表面の所望する領域の曇を効果的に除去することができる。
【００２５】
更に、第１および第２電熱線５１，５２に対する通電は、液晶テレビ１を遠隔操作するリモコン６からの指令信号を受けた切り換え操作部によってＯＮまたはＯＦＦ操作されるので、保護パネル４表面に付着した水蒸気の水滴を除去する際に液晶テレビ１のキャビネット１０までその都度近付いて第１および第２電熱線５１，５２をＯＮ操作する必要がなく、手元のリモコン６によって保護パネル４表面の曇を簡単に除去することができる。
【実施例２】
【００２６】
次に、本発明の実施例２を図４に基づいて説明する。
【００２７】
この実施例では、電熱線のレイアウトを変更している。なお、電熱線を除くその他の構成は、上記実施例１の場合と同じであり、同一の部分については、同じ符号を付してその詳細な説明は省略する。
【００２８】
すなわち、本実施例では、図４に示すように、電熱線７は、液晶画面２１の枠内も含む保護パネル４裏面の全域に張り巡らされている。具体的には、電熱線７は、保護パネル４裏面の左上部分の第１領域において所定間隔で略９０゜に屈曲させて鉤状に網羅するように張り巡らせた第１電熱線７１と、保護パネル４裏面の左下部分の第２領域において所定間隔で略９０゜に屈曲させて鉤状に網羅するように張り巡らせた第２電熱線７２と、保護パネル４裏面の右上部分の第３領域において所定間隔で略９０゜に屈曲させて鉤状に網羅するように張り巡らせた第３電熱線７３と、保護パネル４裏面の右下部分の第４領域において所定間隔で略９０゜に屈曲させて鉤状に網羅するように張り巡らせた第４電熱線７４との４系統に分割されていて、この各電熱線７１〜７４が保護パネル４裏面の各領域毎に対応するようになっている。
【００２９】
上記各電熱線７１〜７４は、図示しない切り換え操作部によって各電熱線７１〜７４に対する通電がＯＮまたはＯＦＦ操作されるようになっている。この場合、切り換え操作部は、液晶テレビ１を遠隔操作するリモコン６からの指令信号によってＯＮまたはＯＦＦ操作されるようになっている。
【００３０】
したがって、上記実施例では、保護パネル４表面に付着した水蒸気の水滴は、第１ないし第４電熱線７１〜７４により裏面側から加温されて保護パネル４全体が満遍なく熱を持つことによってより速やかに除去され、曇の除去時間をより一層短縮させることが可能となり、保護パネル４表面の曇自体をより効果的に除去することができる上、保護パネル４表面の曇止め効果を持続させることができる。
【００３１】
また、保護パネル４裏面の第１ないし第４領域毎に対応するように電熱線７を第１ないし第４電熱線７１〜７４の４系統に分割させていることにより、保護パネル４の第１ないし第４領域毎に４系統の各電熱線７１〜７４により加温されて保護パネル４の所望する領域に付着した水蒸気の水滴が速やかに除去され、保護パネル４表面の所望する領域の曇を効果的に除去することができる。
【００３２】
なお、本発明は、上記各実施例に限定されるものではなく、その他種々の変形例を包含している。例えば、上記各実施例では、曇止め構造を液晶テレビ１に用いた場合について述べたが、録画した映像などを表示する映像モニタに曇止め構造が用いられていてもよい。
【００３３】
また、上記各実施例では、液晶テレビ１を浴室の壁面に取り付けた場合について述べたが、洗面室など多湿な場所に液晶テレビや映像モニタが取り付けられている場合にも適用できるのはもちろんである。
【００３４】
更に、上記各実施例では、電熱線５，７を２または４系統に分割させたが、電熱線が１系統のみで分割せずに用いられていたり、５系統以上に分割して用いられていてもよい。
【図面の簡単な説明】
【００３５】
【図１】本発明の実施例１に係わる曇止め構造を用いた液晶テレビの斜視図である。
【図２】同じく液晶テレビの縦断側面図である。
【図３】同じく電熱線の系統を透過して示す保護パネルの正面図である。
【図４】本発明の実施例２に係わる電熱線の系統を透過して示す保護パネルの正面図である。
【符号の説明】
【００３６】
１        液晶テレビ
２１      液晶本体の液晶画面（液晶テレビの画像面）
４        保護パネル
５        電熱線
５１      第１電熱線（分割された電熱線）
５２      第２電熱線（分割された電熱線）
６        リモコン
７        電熱線
７１      第１電熱線（分割された電熱線）
７２      第２電熱線（分割された電熱線）
７３      第３電熱線（分割された電熱線）
７４      第４電熱線（分割された電熱線）
【図１】
2006319531.tif 000003
【図２】
2006319531.tif 000004
【図３】
2006319531.tif 000005
【図４】
2006319531.tif 000006